(57)【特許請求の範囲】
【請求項１】
可燃性の塗布液が貯留された本体部と、チップ保持部を介して前記本体部に取り付けられたペン先チップとを有する塗布具において、前記チップ保持部の材料が難燃性の樹脂であり、チップ保持部の材料である難燃性の樹脂は、酸素指数が３０以上であることを特徴とする塗布具。
【請求項２】
チップ保持部の材料である難燃性の樹脂は、ポリブチレンテレフタレート、ポリオレフィン、ポリカーボネート、ＡＢＳ樹脂の内から選ばれたいずれか１以上の樹脂に無機質物を配合したものであることを特徴とする請求項１に記載の塗布具。
【請求項３】
チップ保持部の材料である難燃性の樹脂は、ポリブチレンテレフタレート、ポリオレフィン、ポリカーボネート、ＡＢＳ樹脂のいずれかに無機金属化合物及び／またはガラス繊維を配合したものであることを特徴とする請求項１に記載の塗布具。
【請求項４】
チップ保持部の材料である難燃性の樹脂には、無機金属化合物及び／またはガラス繊維が１５重量％以上配合されていることを特徴とする請求項３に記載の塗布具。
【請求項５】
チップ保持部の材料である難燃性の樹脂は、樹脂に難燃剤が配合されたものであることを特徴とする請求項１に記載の塗布具。
【請求項６】
難燃剤は、塩素系難燃剤、臭素系難燃剤、リン系難燃剤、無機系難燃剤のいずれかであることを特徴とする請求項５に記載の塗布具。
【請求項７】
可燃性の塗布液が貯留された本体部と、樹脂製のチップ保持部を介して前記本体部に取り付けられたペン先チップとを有し、前記本体部及びペン先チップは可燃性であり、前記本体部内に貯留された塗布液は、少なくとも１種のアルコール又は少なくとも１種のエーテル又は少なくとも１種のケトン又はそれらの混合物を溶剤として含むものであり、前記チップ保持部の材料は無機金属化合物及び／またはガラス繊維が１５重量％以上配合されて、酸素指数が３０以上であることを特徴とする塗布具。
【請求項８】
可燃性の塗布液が貯留された本体部と、チップ保持部を介して前記本体部に取り付けられたペン先チップとを有する塗布具において、前記本体部内に貯留された塗布液は、アルコール又はエーテル又はケトンを溶剤として含むものであり、前記チップ保持部の材料はポリブチレンテレフタレート、ポリオレフィン、ポリカーボネート、ＡＢＳ樹脂の内の一つに無機金属化合物及び／またはガラス繊維を配合したものであって酸素指数が３０以上であることを特徴とする塗布具。
【発明の詳細な説明】
【０００１】
【発明の属する技術分野】
本発明は、ラインマーカやフェルトペンの様な塗布具に関するものである。本発明の塗布具は、修正具にも適用可能である。
【０００２】
【従来の技術】
インキ等を紙等に塗布したり文字等を筆記する塗布具として、Ｕ．Ｓ．Ｐ．５６１５９６３号に開示された構造のものや、特開２０００−７９７８７号に開示された構造のものが知られている。
【０００３】
前者のＵ．Ｓ．Ｐ．５６１５９６３号に開示された塗布具は、インキタンク内に液状のインキが貯留され、さらに弁機構とペン先チップが設けられている。そしてペン先チップを押すことによって弁機構を開き、インキタンク内のインキをペン先チップにしみ込ませる。そしてペン先チップからインキを滲出させる。
【０００４】
一方、後者の特開２０００−７９７８７号に開示された塗布具は、本体部内に中綿が配され、当該中綿にインキがしみ込んでいる。そして本体部の先端にペン先チップが取り付けられており、ペン先チップから内部にインキを滲出させる。  上記したいずれの構成においても、塗布具は本体部とペン先チップを有している。そしてインキ等の塗布液が本体部内に貯留され、該本体部の先端に塗布液を滲出させるペン先チップがチップ保持部を介して取り付けられている。
【０００５】
ここで従来技術においては、チップ保持部の材料として、易燃性の汎用の合成樹脂が使用されていた。また塗布具の本体内に貯留されるインキ等は、多くの場合、アルコールやエーテル等の可燃性溶剤を含有するものが多い。
【０００６】
【発明が解決しようとする課題】
前記した様な構造の従来技術の塗布具において、内蔵されるインキ等が可燃性である場合には、筆記作業時はもとより筆記作業外においても、ペン先チップが外気に曝され、可燃性の溶剤が放散される。そのため周辺に火気が存在すれば、ペン先チップから滲出・揮発した可燃性の溶剤に引火する危険がある。また子供がいたずらにペン先チップに火を着ける場合もある。
【０００７】
ペン先チップから放散される溶剤に火が着くと、溶剤が燃焼するだけでなく、その熱によってペン先チップを構成する樹脂も可燃域の温度に達し、ペン先チップに火が燃え移り、火勢が強まる。そして従来技術の塗布具では、チップ保持部が易燃性の樹脂によって作られていたから、ペン先チップの火がさらにチップ保持部に燃え移り、遂にはチップ保持部を経て本体内部の塗布液まで延焼し、相当に大きな燃焼となる。そのため室内のカーテンやカーペット等に火が燃え移り、火事となってしまう危惧があった。
【０００８】
一方、難燃性を評価する基準として難燃性評価試験（日本工業規格  ＪＩＳ  Ａ１３２１）があり、さらに近年では国際的な基準としてＡＣＭＩ規格の適用が国内でも普及しつつあるが、チップ及びチップ保持部に樹脂を使用した塗布具の中で、前記したＪＩＳ、ＡＣＭＩの規格に合格したものは皆無であった。
【０００９】
本発明は従来の塗布具の問題点を解決し、ペン先チップに火がついても延焼の虞の少ない高安全性の塗布具を安価でかつ簡便に提供することを目的とする。
【００１０】
【課題を解決するための手段】
そして上記した課題を解決するための請求項１に記載の発明は、可燃性の塗布液が貯留された本体部と、チップ保持部を介して前記本体部に取り付けられたペン先チップとを有する塗布具において、前記チップ保持部の材料が難燃性の樹脂であり、チップ保持部の材料である難燃性の樹脂は、酸素指数が３０以上であることを特徴とする塗布具である。
【００１１】
インキ等に可燃性の溶剤を使用する限り、ペン先チップが燃えることは避けられない。しかしながら、本発明の塗布具ではペン先チップを保持するチップ保持部の材料に難燃性の樹脂が採用されているから、ペン先チップに着火した火は、チップ保持部によってくい止められ、チップ保持部よりも奥側には延焼しない。そのため本発明の塗布具では、ペン先チップに火は着くものの、火が本体部のインキに燃え移ることがない。
【００１２】
ここで酸素指数とは難燃性の水準を数値化した指標で、日本工業規格：ＪＩＳ  Ｋ７２０１に定義されている。即ち、酸素指数とは「被検材料の一定時間の燃焼継続に必要な酸素の最低濃度のパーセント値」と定義されている。従って被検材料の酸素指数が２１を越えていれば通常の大気中での燃焼性が不良になり、さらに酸素指数が増大するほど被検材料の難燃性が増大する。
【００１３】
本発明者らの検討では通常の可燃性インキを用いた塗布具である場合、前記のＪＩＳ、およびＡＣＭＩの基準に合格するためには塗布具のチップ保持部に用いられる樹脂の酸素指数が３０以上であれば足ることがわかった。
【００１４】
上記した請求項１に記載の発明は、この知見に基づくものであり、ペン先チップに着火した火は、チップ保持部によってくい止められ、本体部のインキに燃え移ることはない。
【００１５】
さらに請求項２に記載の発明は、チップ保持部の材料である難燃性の樹脂は、ポリブチレンテレフタレート、ポリオレフィン、ポリカーボネート、ＡＢＳ樹脂の内から選ばれたいずれか１以上の樹脂に無機質物を配合したものであることを特徴とする請求項１に記載の塗布具である。
【００１６】
具体的には、酸化アンチモン等の無機金属化合物や、ガラス繊維等が樹脂中に配合されたものが推奨される。またモノアンモニウムホスフェートやほう酸、金属繊維等の無機質物が配合された樹脂を使用することもできる。ジルコニア、窒化ほう素等のセラミックスが無機質物として配合された樹脂を使用することもできる。
【００１７】
また請求項３に記載の発明は、チップ保持部の材料である難燃性の樹脂は、ポリブチレンテレフタレート、ポリオレフィン、ポリカーボネート、ＡＢＳ樹脂のいずれかに無機金属化合物及び／またはガラス繊維を配合したものであることを特徴とする請求項１に記載の塗布具である。これらの樹脂の酸素指数はいずれも３０以上であり、加工性の良いものである。
【００１８】
即ち、公知の高性能の難燃性樹脂は高融点のため難加工性であったり高価な物が多いのが実状である。そこで本発明者は、チップ保持部の素材として適する樹脂を、多くの種類の難燃性樹脂の中から選定する実験を行った。請求項２，３に記載の発明は、この実験に基づくものであり、油性のラインマーカ等の塗布液である汎用インキは、燃焼性が比較的に緩和なアルコールやエーテルを主成分としたものが多いため、請求項２に記載した様に、ポリブチレンテレフタレート、ポリオレフィン、ポリカーボネート、ＡＢＳ樹脂のいずれかに無機金属化合物及び／またはガラス繊維を配合したものであれば、実用に足る難燃性を発揮する。
また請求項３に記載した様にポリブチレンテレフタレート、ポリオレフィン、ポリカーボネート、ＡＢＳ樹脂のいずれかに無機金属化合物及び／またはガラス繊維を配合したものであれば、実用に足る難燃性を発揮する。またこれらの素材は、いずれも加工性が良い。
【００１９】
また請求項４に記載の発明は、チップ保持部の材料である難燃性の樹脂には、無機金属化合物及び／またはガラス繊維が１５重量％以上配合されていることを特徴とする請求項３に記載の塗布具である。
【００２０】
本発明の塗布具では、無機金属化合物等が１５重量％以上配合された樹脂によってチップが成形されている。そのため本発明の塗布具はチップ保持部の難燃性が高い。
【００２１】
また請求項５に記載の発明は、チップ保持部の材料である難燃性の樹脂は、樹脂に難燃剤が配合されたものであることを特徴とする請求項１に記載の塗布具である。
【００２２】
また請求項６に記載の発明は、難燃剤は、塩素系難燃剤、臭素系難燃剤、リン系難燃剤、無機系難燃剤のいずれかであることを特徴とする請求項５に記載の塗布具である。
【００２３】
また請求項７に記載の発明は、可燃性の塗布液が貯留された本体部と、樹脂製のチップ保持部を介して前記本体部に取り付けられたペン先チップとを有し、前記本体部及びペン先チップは可燃性であり、前記本体部内に貯留された塗布液は、少なくとも１種のアルコール又は少なくとも１種のエーテル又は少なくとも１種のケトン又はそれらの混合物を溶剤として含むものであり、前記チップ保持部の材料は無機金属化合物及び／またはガラス繊維が１５重量％以上配合されて、酸素指数が３０以上であることを特徴とする塗布具である。
なお溶剤には水等の不燃性の溶剤が混じっていても構わない。
【００２４】
本発明の塗布具においても無機金属化合物等が１５重量％以上配合された樹脂によってチップが成形されている。そのため本発明の塗布具はチップ保持部の難燃性が高い。
そして本発明の塗布具ではペン先チップを保持するチップ保持部の材料に難燃性の樹脂が採用されているから、ペン先チップに着火した火は、チップ保持部によってくい止められ、チップ保持部よりも奥側には延焼しない。
【００２５】
さらに請求項８に記載の発明は、可燃性の塗布液が貯留された本体部と、チップ保持部を介して前記本体部に取り付けられたペン先チップとを有する塗布具において、前記本体部内に貯留された塗布液は、アルコール又はエーテル又はケトンを溶剤として含むものであり、前記チップ保持部の材料はポリブチレンテレフタレート、ポリオレフィン、ポリカーボネート、ＡＢＳ樹脂の内の一つに無機金属化合物及び／またはガラス繊維を配合したものであって酸素指数が３０以上であることを特徴とする塗布具である。
【００２６】
本発明の塗布具は、ペン先チップを保持するチップ保持部の材料に酸素指数が３０以上の難燃性の樹脂が採用されているから、ペン先チップに着火した火は、チップ保持部によってくい止められ、チップ保持部よりも奥側には延焼しない。特に本発明の塗布具では、塗布液の溶剤がアルコール、エーテル又はケトンであり、溶剤が燃焼した際の火力がそれほど強いものでは無く、ペン先チップを強制的に燃焼させたり、ペン先チップを溶融させることも無い。またペン先チップの製作も容易である。
【００２７】
【発明の実施の形態】
以下に本発明の実施の形態を説明する。図１は本発明の塗布具を示す正面図である。図２は図１のＡ−Ａ断面図である。図３は図１のＢ−Ｂ断面図である。
【００２８】
塗布具１は筆記具の一種であり、本体部２を持ち、その一端に太字用のペン先チップ５が取り付けられ、他端側に細字用のペン先チップ７が取付けられたものである。
【００２９】
即ち塗布具１にはポリプロピレン製で円筒形の本体部２があり、本体部２の中が塗布液溜め３となっている。本実施形態では本体部２の中に別のチューブ１０が内蔵され、当該チューブ内に合成綿製の塗布液吸蔵材４が内蔵されている。
そして塗布液吸蔵材４に筆記用インク等の塗布液が含浸されている。塗布液の溶剤は、メタノールやエタノール等のアルコールである。
塗布液は、前記したアルコール系溶剤を使用するものの他、エチルエーテル等のエーテル系溶剤を使用するものであってもよい。また塗布液は、メチルイソブチルケトン等のケトン系溶剤を使用するものであってもよい。
【００３０】
本体部２の図面左端部には太字用のペン先チップ５が取り付けられている。太字用ペン先チップ５は筆様であり、チップ保持部６を介して取り付けられている。太字用ペン先チップ５はアクリル繊維等の束を接合した素材で形成され、毛細管現象により塗布液溜め３内の塗布液吸蔵材４から塗布液を吸い込む作用をする。
【００３１】
チップ保持部６は、略円錐状の先端部６ａと、筒状の後端部６ｂを持ち、その境界部にフランジ部６ｃが設けられたものである。チップ保持部６の後端部６ｂの内部には、リブ６ｄが設けられている。またチップ保持部６の先端部には開口が設けられている。そして前記した太字用ペン先チップ５がチップ保持部６の開口に挿通されて内部のリブ６ｄによって保持されている。即ち太字用ペン先チップ５の外径は組み立て前ではチップ保持部６の開口部の内径より僅かに大きく、組み立て時に太字用ペン先チップ５は圧縮されてチップ保持部６に強制的に嵌合され、両者が一体となった状態で本体２に取り付けられる。従って太字用ペン先チップ５は、チップ保持部６の開口部に対して密に接している。
【００３２】
そして太字用ペン先チップ５の一端はチップ保持部６の先端から外へ突き出ている。一方、太字用ペン先チップ５の他方の端部はチップ保持部６の他端から塗布液溜め３の内部へ突き入って、塗布液吸蔵材４の端部に接触している。
【００３３】
本実施形態の塗布具１では、前記したチップ保持部６の素材として難燃性合成樹脂が使用されている。チップ保持部６の素材は、具体的にはポリブチレンテレフタレートに無機金属化合物またはガラス繊維が配合された組成物であり、その酸素指数は３０以上である。
【００３４】
またチップ保持部６の素材としては、他にポリオレフィン、ポリカーボネート、ＡＢＳ樹脂等が使用可能である。そしてこれらポリオレフィン、ポリカーボネート、ＡＢＳ樹脂等に燃えない無機質物が配合されて、酸素指数が３０以上となる様に調製され、チップ保持部６が成形される。
チップ保持部６の素材は、上記したように合成樹脂が採用される場合が多いが、難燃化したゴム等の天然樹脂を使用することもできる。
【００３５】
燃えない無機質物としては前記した無機金属化合物、ガラス繊維が代表的であるが、これに限定されるものではない。
樹脂中に配合する無機金属化合物の例としては、酸化アンチモンその他が挙げられる。またその他の無機質物の例としては、モノアンモニウムホスフェートやほう酸、金属繊維、セラミックス（例えばジルコニア、窒化ほう素）その他が挙げられる。
【００３６】
樹脂に配合する無機金属化合物またはガラス繊維の配合量は任意であり、難燃性と成形性を考慮して決定すべきであるが、１５重量％以上５０重量％以下が望ましい。即ち樹脂に配合する無機金属化合物等の量が、１５重量％未満の場合は、難燃性を向上させる効果が乏しい。樹脂に配合する無機金属化合物等の量が、５０重量％を越えると成形性が低下する。
【００３７】
一方、本体２の図面右端側には、図の様に細字用で小径のペン先チップ７がチップ保持部８を介して取り付けられている。細字用ペン先チップ７はポリアセタールを素材とする合成樹脂製の多孔質体を直線状に延伸した素材で形成され、毛細管現象により塗布液溜め３から塗布液を吸い込む作用をする。
【００３８】
チップ保持部８は、前記したチップ保持部６に比べて小さく、全体が筒状をしている。そして前記した細字用ペン先チップ７が挿入されて保持されている。細字用のペン先チップ７についてもチップ保持部８の開口部に対して密に接している。
【００３９】
チップ保持部８の素材は、他方のチップ保持部６と同一であり、ポリブチレンテレフタレートに無機金属化合物またはガラス繊維が配合された酸素指数は３０以上の組成物である。また他にポリオレフィン、ポリカーボネート、ＡＢＳ樹脂に、無機金属化合物、ガラス繊維等が配合された酸素指数が３０以上である組成物が採用可能である。
樹脂に配合する無機金属化合物またはガラス繊維の配合量は、前記したチップ保持部６と同様、１５重量％以上５０重量％以下が望ましい。
【００４０】
細字用ペン先チップ７の先端は、図の様にチップ保持部８の先端から外へ突き出ている。そして細字用ペン先チップ７の他端はチップ保持部８の左端から塗布液溜め３の右端へ突き入り、塗布液吸蔵材４の右端部に接触している。
【００４１】
本体部２の両端には、キャップ（図示せず）が装着される。
本実施形態の塗布具１は、公知のそれと同様の方法で使用される。即ち塗布具１の図面左側の太字用ペン先チップ５を使用する時には、塗布液溜め３内の塗布液吸蔵材４に含浸されている塗布液が毛細管現象により太字用ペン先チップ５に導かれ、太字用ペン先チップ５より滲出する。
【００４２】
一方、塗布具１の図面右側の細字用ペン先チップ７を使用する時には、塗布液溜め３内の塗布液吸蔵材４に含浸されている塗布液が毛細管現象により細字用ペン先チップ７に導かれペン先チップ７より滲出する。このように本塗布具１は左側と右側の両方のペン先チップ５，７を用いて紙等の表面に塗布液を塗布し、文字等を書くことができる。
【００４３】
本実施形態の塗布具１は、前記した様に、本体部２が汎用樹脂のポリプロピレン樹脂で製造され、ペン先チップ５，７についても通常のアクリル及びポリアセタールが使用されている。そのため本実施形態の塗布具１についても、ペン先チップ５，７は燃える。しかしながら本実施形態では、ペン先チップ５、７と本体部２を接続するチップ保持部６、８に、難燃性の樹脂が使用されている。そのためペン先チップ５、７に火を着けても火はチップ保持部６、８で止まり、本体部２に延焼しない。
【００４４】
即ち本実施形態の塗布具１の、図面右側の細字用ペン先チップ７に炎を近づけると、塗布液に含まれるアルコールに引火し、細字用ペン先チップ７に火が着く。そしてその熱により、細字ペン先チップ７自体が燃焼する。しかしながら、細字用ペン先チップ７を保持するチップ保持部８は、難燃性樹脂で作られているから、チップ保持部８は燃えない。そして暫く時間が経過すると、細字ペン先チップ７が燃え尽きる。又は暫く時間が経過すると、細字ペン先チップ７が溶け落ちる。その結果、本体部２内の塗布液を外部に導出する部材を失い、細字用ペン先チップ７の火は消火する。即ち細字用ペン先チップ７の焼失により、蝋燭の芯に相当する部材を失い、自然に火が消える。また細字用ペン先チップ７の外部に露出した部分は僅かであるから、細字用ペン先チップ７に着火してから消火までの時間も僅かである。
【００４５】
さらに本実施形態では、塗布液はアルコールを溶剤とするものであり、且つ細字用ペン先チップ７自身が燃えることによって発する燃焼熱も小さいので、チップ保持部８を溶かす様な熱量は発生せず、チップ保持部８が破壊されることによる新たな塗布液の漏出も無い。さらに細字用ペン先チップ７は、チップ保持部８の開口部に対して密に接しているから、細字用ペン先チップ７の火が本体部２側に移ることもない。
そのため本実施形態の塗布具１は、細字用ペン先チップ７に引火しても火災に至る危険が少ない。また他方の太字用ペン先チップ５についても、同様の理由から引火しても火災に至る危険が少ない。
【００４６】
上記した実施形態では、チップ保持部６の素材として、合成樹脂に無機質物を配合して難燃性を向上させたものを例示したが、本発明は、この構成に限定されるものではなく、有機系の難燃剤や無機系の難燃剤を配合して難燃性を向上させたものを使用することもできる。
【００４７】
具体的には、ポリブチレンテレフタレート、ポリオレフィン、ポリカーボネート、ＡＢＳ樹脂等に塩素系難燃剤、臭素系難燃剤、リン系難燃剤、無機系難燃剤を配合して難燃性を向上させたものを使用することもできる。
なお塩素系難燃剤の例としては、塩素化パラフィン、塩素化ポリエチレン、パークロロシクロペンタデカン、クロレンド酸、テトラクロロ無水フタル酸等が挙げられる。
【００４８】
また臭素系難燃剤としては、テトラブロモビスフェノールＡ、デカブロモジフェニルエーテル、テトラブロモジフェニルエーテル、ヘキサブロモベンゼン、ヘキサブロモシクロデカン、テトラブロモ無水フタル酸等が挙げられる。
【００４９】
リン系難燃剤としては、ポリリン酸アンモニウム、トリエチルホスフェート、トリクレジルホスフェート、トリス（β−クロロエチル）ホスフェート、含窒素リン酸エステル、重合性リン化合物モノマーや赤リン系難燃剤が挙げられる。
【００５０】
さらに無機系難燃剤としては、水酸化アルミニウム、水酸化マグネシウム、三酸化アンチモン、モリブデン化合物、ジルコニウム、ほう酸亜鉛、窒素化グアニジン、炭酸カルシウム、酸化スズ、五酸化リン等が挙げられる。
【００５１】
【実施例】
本発明の効果を確認するための試作品として、図１の構造の塗布具１を試作した。ここでチップ保持部６、８の材料としてガラス繊維を２０重量％を配合した難燃性強化ポリブチレンテレフタレート樹脂を採用した。前記材料は難燃性の程度を示す酸素指数が３０以上であり、当該樹脂は、難燃性評価試験：日本工業規格  Ａ１３２１にも合格するものである。
【００５２】
そして本体部２には、溶剤としてイソプロピルアルコール２０％、エチレングリコールモノメチルエーテル６１．５％を含むインキを充填し、着火試験を行った。より具体的には、細字用ペン先チップ７に喫煙用のライターで強制的に点火した。点火してから１分経過後、細字用ペン先チップ７の燃焼は継続したがチップ保持部８は燃焼していなかった。さらに数秒の後、細字用ペン先チップ７は燃え尽き、自然に消火した。
【００５３】
また太字用ペン先チップ５に点火した場合も同様であり、点火してから１分程度の間、太字用ペン先チップ５の燃焼が継続するがチップ保持部６は燃えない。さらに数秒の後、太字用ペン先チップ７は燃え尽き、自然に消火した。
【００５４】
この実験により、本発明の塗布具は、たとえペン先チップ５，７に火がついても自然に消火され、安全であることが分かる。
【００５５】
一方、比較例として、前記した塗布具１と同一の構造であって、チップ保持部６，８の素材だけが異なるものを試作した。即ち比較例では、チップ保持部６，８の材料としてポリアセタールを使用した。なおポリアセタールの酸素指数は約１６である。
【００５６】
そして上記した実施例と同様に、ペン先チップ７に喫煙用のライターで強制的に点火した。比較例の細字用ペン先チップ７に喫煙用のライターで点火してから１分以内の間に、火炎は細字用ペン先チップ７からチップ保持部８に燃え移り、さらに本体部２まで燃焼が及んだ。
【００５７】
また比較例の太字用ペン先チップ５に点火すると、１分以内の間に、火炎はチップ保持部６に燃え移り、さらに本体部２まで燃焼が及んだ。
上記した実施例は、本体部２内に塗布液吸蔵材４を内蔵して可燃性の塗布液を貯留する構成を示したが、液状の塗布液をそのまま本体部２内に貯留する構成の塗布具にも本発明を適用することができる。
【００５８】
【発明の効果】
本発明の塗布具は、チップ保持部の材料として難燃性の樹脂を用いているので、塗布具の使用時、および不使用時のキャップ閉め忘れの際に、何らかの火源によりペン先チップが着火した場合でも燃焼はペン先チップ部分で止まり、被害の拡大が防止できる効果がある。このように本発明の塗布具は、安全性が高い効果がある。
【００５９】
また本発明の塗布具に用いられる樹脂は広く市販されており、易加工性であるため本発明の塗布具は大量生産に好適であり、従来品と比較しても生産費用の増加は少ない。
【図面の簡単な説明】
【図１】  本発明の塗布具を示す正面図である。
【図２】  本発明の塗布具を示す図１のＡ−Ａ断面図である。
【図３】  本発明の塗布具を示す図１のＢ−Ｂ断面図である。
【符号の説明】
１  塗布具
２  本体
３  塗布液溜め
４  塗布液吸蔵材
５、７ペン先チップ
６、８  チップ保持部
【図１】
0004756674.tif 000002
【図２】
0004756674.tif 000003
【図３】
0004756674.tif 000004